(57)【要約】【課題】蓋内部への水等の液体浸入の心配がなく、デザイン展開が容易な生ごみ処理機を提供することを目的とする。【解決手段】本体（図示せず）に回動自在に取着された蓋４０を備え、前記蓋４０は、天板４０ａと前記天板４０ａの一部を構成する外装部品（図示せず）とで構成されてなるとともに、前記外装部品（図示せず）の終端は、前記天板４０ａの前縁まで延設され、かつ前記外装部品（図示せず）の略周縁に対向する前記天板４０ａに溝部４５を設けたもので、蓋４０に雨水や液体がかかっても、それらが溝部４５に入り、それが天板４０ａの前縁に至り、本体（図示せず）の前側から落ちるので、前記溝部４５を越えて蓋４０内部に雨水や液体が進入することがない。【選択図】図５
2005246118.tif 000002
【特許請求の範囲】
【請求項１】
厨芥を収納する収納部を有する本体と、前記収納部の開口を開閉するともに前記本体に回動自在に取着された蓋とを備え、前記蓋は、天板と前記天板の一部を構成する外装部品とで構成されてなるとともに、前記外装部品の終端は、前記天板の前縁まで延設され、かつ前記外装部品の略周縁に対向する前記天板に溝部を設けた生ごみ処理機。
【請求項２】
外装部品に、溝部に嵌合する凸部を設けた請求項１記載の生ごみ処理機。
【請求項３】
外装部品の周縁に、溝部の周縁を覆う凸部を設けた請求項１または２記載の生ごみ処理機。
【請求項４】
天板または外装部品の一方に凹部を、他方に前記凹部に固定される凸部を設けた請求項１〜３のいずれか１項に記載の生ごみ処理機。
【請求項５】
外装部品に、本体の運転操作を行うための運転操作部を設けた請求項１〜４のいずれか１項に記載の生ごみ処理機。
【請求項６】
外装部品に、蓋を本体に施錠するための蓋施錠部を設けた請求項１〜５のいずれか１項に記載の生ごみ処理機。
【請求項７】
外装部品に、蓋の開閉を操作する蓋開閉操作部を設けた請求項１〜６のいずれか１項に記載の生ごみ処理機。
【発明の詳細な説明】
【技術分野】
【０００１】
本発明は、家庭、レストランなどの台所等で出る生ごみを処理する生ごみ処理機に関するものである。
【背景技術】
【０００２】
従来の生ごみ処理機を、図７を用いて説明する。
【０００３】
図において、生ごみ処理機本体１は、生ごみを収納する生ごみ収納部２と、底部に設けられ生ごみを撹拌する撹拌羽根３を備えている。この生ごみ収納部２の上部に生ごみを加熱する加熱手段４が配されてある。この加熱手段４は加熱用ヒータ４ａおよび加熱ファン６から構成され、熱風を生ごみに当てて生ごみの表面を加熱乾燥する。なお加熱ファン６はモータ７により回転駆動される。
【０００４】
また、生ごみ収納部２の上方に吸気口８が設けられており、この吸気口８は生ごみ収納部２を介して連結通路９を通じて脱臭手段１０に接続されている。脱臭手段１０は、臭気を脱臭する触媒１１と、触媒１１を加熱する触媒加熱ヒータ１２から構成されている。１４は、排気手段で、排気ファン１５と、排気モータ１６、冷却ファン１７から構成されている。生ごみ処理機本体１内には制御回路１８、撹拌羽根３を駆動する駆動装置１９を設けてある。
【０００５】
２０は、生ごみ収納部２に生ごみを投入あるいは、取出す際に開閉する蓋で、後端が生ごみ処理機本体１に回動自在に軸支され、前端は、生ごみ処理機本体１に尾錠５により施錠できるようになっており、尾錠５を操作して解除することにより蓋２０が開けられるようになっている。また、屋内使用時の生ごみ処理機本体１への液体こぼし、屋外使用時の雨、雪等の自然現象、生ごみ処理機本体の洗浄等を考慮し、蓋２０の外郭部分は一つ成形品または金属部品で形成され、蓋２０内部への水、液体等の浸入を防止している。
【０００６】
上記構成により、生ごみ収納部２に生ごみを投入し、運転を開始すると、生ごみ収納部２内の生ごみは撹拌羽根３で撹拌されながら加熱手段４で加熱される。生ごみ収納部２で発生した蒸気は、排気手段１４の運転により、触媒１１に流入し、そこで臭気分が脱臭された後、生ごみ処理機本体１の後部に設けた排気口１３より外部に排出される（例えば、特許文献１参照）。
【特許文献１】特開２００２−１１９９３９号公報
【発明の開示】
【発明が解決しようとする課題】
【０００７】
しかしながら、上記特許文献１に開示されたような生ごみ処理機の構成では、蓋２０の外郭部分が１つの部品で形成されているため、デザイン上の制約が多く、また、あえて外観等の見た目を考慮し、蓋２０の外郭部分を複数の成形品で構成すると、各部品の隙間から水等の液体が蓋内部へ浸入するという課題を有していた。
【０００８】
本発明は上記従来の課題を解決するもので、蓋内部への水等の液体浸入を防止するとともに、デザイン性に優れた生ごみ処理機を提供することを目的とする。
【課題を解決するための手段】
【０００９】
上記従来の課題を解決するために、本発明の生ごみ処理機は、厨芥を収納する収納部を有する本体と、前記収納部の開口を開閉するともに前記本体に回動自在に取着された蓋とを備え、前記蓋は、天板と前記天板の一部を構成する外装部品とで構成されてなるとともに、前記外装部品の終端は、前記天板の前縁まで延設され、かつ前記外装部品の略周縁に対向する前記天板に溝部を設けたもので、蓋に雨水や液体がかかっても、それらが溝部に入り、それが天板の前縁に至り、本体の前側から落ちるので、前記溝部を越えて蓋内部に雨水や液体が進入することがない。
【発明の効果】
【００１０】
本発明によれば、蓋内部への水等の液体浸入を防止するとともに、デザイン性に優れた生ごみ処理機を提供できる。
【発明を実施するための最良の形態】
【００１１】
第１の発明は、厨芥を収納する収納部を有する本体と、前記収納部の開口を開閉するともに前記本体に回動自在に取着された蓋とを備え、前記蓋は、天板と前記天板の一部を構成する外装部品とで構成されてなるとともに、前記外装部品の終端は、前記天板の前縁まで延設され、かつ前記外装部品の略周縁に対向する前記天板に溝部を設けたもので、蓋に雨水や液体がかかっても、それらが溝部に入り、それが天板の前縁に至り、本体の前側から落ちるので、前記溝部を越えて蓋内部に雨水や液体が進入することがない。
【００１２】
第２の発明は、特に、第１の発明の外装部品に、溝部に嵌合する凸部を設けたもので、その凸部により天板と外装部品との嵌合部での両者間の隙間が小さくなるので、溝部への水等の液体の浸入量が減少し、その溝部が液体で溢れることによる蓋内部への水等の液体浸入を確実に防止することができる。
【００１３】
第３の発明は、特に、第１または第２の発明の外装部品の周縁に、溝部の周縁を覆う凸部を設けたもので、蓋に雨水などの液体がかかった時に、前記傘状凸部が液体の流れを外装部品と天板との隙間および天板と外装部品との嵌合部と異なる方向へ促すことにより、溝部への液体浸入量が大幅に減少し、溝部が溢れることによる蓋内部への水等の液体浸入をより確実に防止することができる。
【００１４】
第４の発明は、特に、第１〜３のいずれか１つの発明の天板または外装部品の一方に凹部を、他方に前記凹部に固定される凸部を設けたもので、ねじ止め等などの結合方法に加え外装部品と天板との嵌合を強くし、外装部品と天板との隙間を小さくすることができため、溝部への水等の液体浸入量を減少し、溝部が溢れることによる蓋内部への水等の液体浸入を防止することができる。
【００１５】
第５の発明は、特に、第１〜４のいずれか１つの発明の外装部品に、本体の運転操作を行うための運転操作部を設けたもので、運転操作部を外装部品以外の部分に設ける場合に較べ、運転操作部の取り付け構成、防水構造が大幅に簡素化され、しかも運転操作が極めて容易になる。
【００１６】
第６の発明は、特に、第１〜５のいずれか１つの発明の外装部品に、蓋を本体に施錠するための蓋施錠部を設けたもので、蓋施錠部を外装部品以外の部分に設ける場合に較べ、 蓋施錠部の取り付け構成、防水構造が大幅に簡素化され、しかも蓋の施錠操作が極めて容易になる。
【００１７】
第７の発明は、特に、第１〜６のいずれか１つの発明の外装部品に、蓋の開閉を操作する蓋開閉操作部を設けたもので、蓋開閉操作部を外装部品以外の部分に設ける場合に較べ、 蓋開閉操作部の取り付け構成、防水構造が大幅に簡素化され、しかも蓋の開閉操作が極めて容易になる。
【００１８】
以下、本発明の実施の形態について、図面を参照しながら説明する。なお、この実施の形態によって本発明が限定されるものではない。
【００１９】
（実施の形態１）
図１は、本発明の第１の実施の形態における生ごみ処理機の断面図、図２は、同生ごみ処理機の上面図、図３は、同生ごみ処理機の蓋の断面図、図４は、同蓋の要部拡大図、図５は、同蓋の上面図、図６は、同生ごみ処理機本体の外装部品の下面図である。
【００２０】
図において、生ごみ処理機本体（以下「本体２１」という）は、厨芥である生ごみを収納する生ごみ収納部２２と、生ごみ収納部２２の底部に配され生ごみを撹拌する撹拌羽根２３を備えている。４０は、生ごみ収納部２２の上部開口２２ａを開閉する蓋で、後端が本体２１に回動自在に軸支され、前部は尾錠２５により本体２１に施錠できるようになっている。４０ａは、蓋４０の上面部を形成する天板である。
【００２１】
蓋４０には、加熱用ヒータ２４ａおよび加熱ファン２６から構成され、熱風を生ごみに当てて生ごみの表面を加熱乾燥する加熱手段２４が配されている。加熱ファン２６はモータ２７により回転駆動される。
【００２２】
また、蓋４０には吸気口２８が設けられており、この吸気口２８は生ごみ収納部２２を介して連結通路２９を通じて脱臭手段３０に接続されている。脱臭手段３０は臭気を脱臭する触媒３１と、触媒３１を加熱する触媒加熱ヒータ３２で構成されている。
【００２３】
３４は、生ごみ収納部２２で発生した蒸気を排気口３３より外部に排出するための排気手段で、排気ファン３５と、排気モータ３６と、冷却ファン３７から構成されている。
【００２４】
本体２１内には制御回路３８、撹拌羽根２３を駆動する駆動装置３９を設けてある。
【００２５】
４１は、蓋４０の天板４０ａに取り付けられた外装部品で、その表面積は、天板４０ａのそれの１／４以上の広さを有している。
【００２６】
蓋４０および外装部品４１には、運転入切ボタン等を備えた運転操作部４８、尾錠２５を不動にすることで蓋４０の開閉を不能とする蓋施錠部４３、蓋４０の開閉を操作する蓋開閉操作部４２を備えている。
【００２７】
次に、天板４０ａと外装部品４１との嵌合部の詳細について、図３〜５を用いて説明する。外装部品４１の略全周に渡って、天板４０ａ側に突出した凸部４６がフランジ状に形成されている。一方、天板４０ａ側には、前記凸部４６が嵌合する断面略凹状の溝部である蓋凹部４５が、連続して略下降しながら形成されるとともに、その蓋凹部４５の終店４９は、天板４０ａの外縁まで延設されている。また外装部品４１の周縁には、図４に示すように天板４０ａの蓋凹部４５の外周側上縁を覆うように傘状凸部４７が延設されている。
【００２８】
外装部品４１には、固定用のＬ字型リブ５１が設けられ、天板４０ａには、Ｌ字型リブ５１が嵌合する凹部５０が設けられている。
【００２９】
以上のように構成された生ごみ処理機の動作、作用について以下説明する。
【００３０】
生ごみ収納部２２に生ごみを投入し、運転を開始すると、生ごみ収納部２２内の生ごみは撹拌羽根２３で撹拌されながら加熱手段２４で加熱される。生ごみ収納部２２で発生した蒸気は、排気手段３４の運転により、触媒３１に流入し、そこで臭気分が脱臭された後、本体２１の後部に設けた排気口３３より外部に排出される。
【００３１】
以上のように、本実施の形態によれば、外装部品４１の大きさは天板の全表面の１／４以上の面積を占めるほど大きいので、蓋４０内部への液体浸入を防止するのは勿論、外装部品４１のデザイン展開で、蓋４０の外観イメージを容易に変えることができ、しかも、運転操作部４８等他の機能部品を外装部品４１に容易に付加することができるので、使用勝手の良い生ごみ処理機を提供できる。
【００３２】
また、天板４０ａに外装部品４１を嵌合させる蓋凹部４５を設けることで、外装部品４１と蓋４０の天板４０ａとの隙間から浸入した水等の液体は蓋凹部４５へ入り、すべて蓋凹部４５を経由するので、蓋４０内部に水等の液体が浸入するのを防止することができる。
【００３３】
さらに外装部品４１との嵌合部に設けた蓋凹部４５の終点４９を天板４０ａの外周縁まで延設することで、外装部品４１と天板４０との隙間から浸入し、蓋凹部４５へ入った水等の液体が蓋凹部４５のみを経由し、蓋凹部４５の終点４９である天板４０ａの外周へ排出され、蓋４０内部に水等の液体が浸入することを防止することができる。
【００３４】
また、外装部品４１の天板４０ａとの嵌合部分に凸部４６を設けることで、外装部品４１と天板４０ａとの隙間を小さくするとともに、天板４０ａと外装部品４１との嵌合部における面積を減少することで、蓋凹部４５への水等の液体浸入量を減少し、蓋凹部４５が溢れることによる蓋４０内部への水等の液体浸入を防止することができる。
【００３５】
さらに外装部品４１の蓋凹部４５との嵌合部上に傘状凸部４７を設けることで、水等の液体流れ方向が外装部品４１と天板４０ａとの隙間および天板４０ａと外装部品４１の嵌合部と異なる方向になることで、蓋凹部４５への水等の液体浸入量を減少し、蓋凹部４５が溢れることによる蓋４０内部への水等の液体浸入を防止することができる。
【００３６】
外装部品４１に固定用のＬ字型リブ５１を、天板４０ａに凹部５０を設けることで、ねじ止め等と合わせて外装部品４１と蓋４０との嵌合を強くし、外装部品４１と天板４０ａとの隙間を小さくすることができるため、蓋凹部４５への水等の液体浸入量を減少し、蓋凹部４５が溢れることによる蓋４０内部への水等の液体浸入を防止することができる。
【００３７】
天板４０ａの外装部品４１取り付け部以外の部分に運転操作部４８を設けると、運転操作時の使用性不具合が発生するが、外装部品４１が大きいのでそれに運転操作部４８を容易に設けることができ、その結果、運転操作性が大幅に向上するものである。
【００３８】
また、天板４０ａの外装部品４１取り付け部以外の部分に蓋施錠部４３を設けると、蓋施錠操作時の使用性不具合が発生するが、外装部品４１が大きいのでそれに蓋施錠部４３を容易に設けることができ、その結果、蓋施錠操作性が大幅に向上するものである。
【００３９】
さらに、天板４０ａの外装部品４１取り付け部以外の部分に蓋開閉操作部４２を設けると、蓋開閉操作時の使用性不具合が発生するが、外装部品４１が大きいのでそれに蓋開閉操作部４２を容易に設けることができ、その結果、蓋開閉操作性が大幅に向上するものである。さらに、蓋開閉操作部４２の近傍にステージ状に凹凸部等を形成し、蓋４０を閉じる際に押圧する部分を明確にしてやれば、蓋４０を閉じる際の操作性がさらに向上される。
【００４０】
また、外装部品４１に設けた蓋施錠部４３や蓋開閉操作部４２を操作するために摺動させた時に、その摺動部分の下方にある天板４０ａの表面が露出しないように、外装部品４１の一部でその摺動部分を覆っておけば、万一外装部品４１の色と天板４０ａの色が異なる場合でも、摺動部分を通して色の異なる天板４０ａが見えないので、生ごみ処理機の見栄えを向上させることができる。
【００４１】
また、本実施の形態では外装部品４１に固定用のＬ字型リブ５１を、天板４０ａに凹部５０を設けたが、天板４０ａにＬ字型リブ、外装部品４１に凹部を設けることでも、ねじ止め等による結合方法と合わせて外装部品４１と天板４０ａとの嵌合を強くし、外装部品４１と天板４０ａとの隙間を小さくすることができるため、蓋凹部４５が溢れることによる蓋４０内部への水等の液体浸入を防止することができる。
【産業上の利用可能性】
【００４２】
以上のように、本発明にかかる生ごみ処理機は、蓋内部への液体浸入が確実に防止でき、使用性が良いもので、特に屋外使用の蓋を有する各種機器、装置にも適用できる。
【図面の簡単な説明】
【００４３】
【図１】本発明の実施の形態１における生ごみ処理機の断面図
【図２】同生ごみ処理機の上面図
【図３】同生ごみ処理機の蓋の断面図
【図４】同蓋の要部拡大断面図
【図５】同蓋の上面図（外装部品を外した状態）
【図６】同蓋に取り付けられる外装部品の下面図
【図７】従来の生ごみ処理機の断面図
【符号の説明】
【００４４】
２１    本体
２２    生ごみ収納部（収納部）
２２ａ  開口
２４    加熱手段
４０    蓋
４０ａ  天板
４１    外装部品
４２    蓋開閉操作部
４３    蓋施錠部
４５    蓋凹部（溝部）
４６    凸部
４７    傘状凸部
４８    運転操作部
４９    終点
５１    Ｌ字型リブ
【図１】
2005246118.tif 000003
【図２】
2005246118.tif 000004
【図３】
2005246118.tif 000005
【図４】
2005246118.tif 000006
【図５】
2005246118.tif 000007
【図６】
2005246118.tif 000008
【図７】
2005246118.tif 000009